(57)【要約】【課題】１回限りデータ書込み可能なメモリカードに対して、たとえば著作権保護されたコンテンツのムーブ処理を繰り返し行う技術を提供することを課題とする。【解決手段】メモリカード２（ＯＴＰメモリ）から内蔵メモリ１４にコンテンツ５５ｄをムーブするために、データ領域２４内のコンテンツ５５ｄを復号処理して、内蔵メモリ１４内にコンテンツ５５として記録する。さらに、ＦＡＴ領域２２に記録されている格納領域情報５６を、格納領域情報５７としてＦＡＴ待避領域２３にコピーし、格納領域情報５６を削除する。ＦＡＴ領域２２およびＦＡＴ待避領域２３は、複数回データ書き込み可能な領域として構成され、データ領域２４は、１回限りデータ書き込み可能な領域として構成されている。【選択図】図４
2007025764.tif 000002
【特許請求の範囲】
【請求項１】
第１記憶媒体に格納されているコンテンツを第２記憶媒体に移動させる方法であって、
前記第１記憶媒体は、
１回限りデータ書込み可能なデータ領域と、
複数回データ書込み可能であって、前記データ領域に格納されたデータがアクセスされるときに参照されるＦＡＴ領域と、
複数回データ書き込可能であって、前記データ領域に格納されたデータがアクセスされるときに参照されないＦＡＴ待避領域と、
を備え、
前記データ領域に前記コンテンツが格納されるとともに、前記ＦＡＴ領域に前記コンテンツの格納領域情報が記録されており、
前記ＦＡＴ領域に記録されている前記格納領域情報を、前記ＦＡＴ待避領域にコピーする工程と、
前記ＦＡＴ領域に記録されている前記格納領域情報を消去する工程と、
前記データ領域に格納されている前記コンテンツを前記第２記憶媒体にコピーする工程と、
を備えることを特徴とするコンテンツ移動方法。
【請求項２】
請求項１に記載のコンテンツ移動方法により前記第２記憶媒体に移動された前記コンテンツを再び前記第１記憶媒体に移動させる方法であって、
前記第２記憶媒体に格納されているファイルと同じファイルが前記データ領域内に存在するか否かを判別する判別工程と、
前記データ領域内に同一ファイルが存在する場合、前記ＦＡＴ待避領域に記録されている前記格納領域情報を、前記ＦＡＴ領域にコピーする工程と、
前記第２記憶媒体に格納されている前記コンテンツを削除する工程と、
を備えることを特徴とするコンテンツ移動方法。
【請求項３】
請求項２に記載のコンテンツ移動方法において、
前記判別工程は、
前記第２記憶媒体に格納されている前記コンテンツと前記データ領域に格納されているファイルとの全ビット照合を行う工程、
を含むことを特徴とするコンテンツ移動方法。
【請求項４】
請求項３に記載のコンテンツ移動方法において、
前記判別工程は、
前記第２記憶媒体に格納されている前記コンテンツのファイルサイズと同じファイルサイズのファイルが前記データ領域内に存在するか否かを判別する工程、
を含み、
前記判別工程は、同じファイルサイズのファイルが存在する場合に、前記全ビット照合を行うことを特徴とするコンテンツ移動方法。
【請求項５】
請求項１ないし請求項４のいずれかに記載のコンテンツ移動方法において、
前記コンテンツは、著作権で保護されたコンテンツであることを特徴とするコンテンツ移動方法。
【請求項６】
請求項１ないし請求項５のいずれかに記載のコンテンツ移動方法において、
前記データ領域に格納されている前記コンテンツは、前記第１記憶媒体が保持している媒体固有情報を用いて暗号化されていることを特徴とするコンテンツ移動方法。
【発明の詳細な説明】
【技術分野】
【０００１】
本発明は、記憶媒体に格納されたコンテンツの移動方法に関する。
【背景技術】
【０００２】
昨今、コンテンツデータのデジタル化に伴い、著作権保護の要請が高まっている。ＤＶＤ規格で採用されている著作権保護技術に、ＣＰＰＭ（Content Protection for rerecorded Media）、ＣＰＲＭ（Content Protection for Recordable Media）が存在する。ＣＰＰＭは、再生専用のメディア用に開発された技術であり、ＣＰＲＭは、記録可能なメディア用に開発された技術である。いずれの技術も、メディアにＭＫＢ（Media Key Block）と呼ばれる鍵束とメディアの固有情報であるメディアＩＤとを記録し、それらメディアに記録された情報と機器に用意されているデバイスキーとを用いて、著作権の保護を図るようにしている。
【０００３】
そして、ＣＰＲＭ技術を利用し、デジタル放送で配信されるコンテンツをコピーワンスで保護する対策もとられている。デジタル放送を受信した機器は、その機器内のハードディスクにコンテンツを記録した後、ＣＰＲＭ対応のメディアにコンテンツをムーブさせることが可能となっている。そして、このムーブ操作により、機器内のハードディスクからはコンテンツが削除される。このようにして、著作権保護されたコンテンツが１箇所にのみ存在するようにして、著作権の保護強化を図っているのである。また、現状では、このコピーワンスによりＣＰＲＭ対応のメディアにムーブされたコンテンツは、さらにムーブが行えないような仕組みとなっている。
【発明の開示】
【発明が解決しようとする課題】
【０００４】
しかし、今後、一旦ＣＰＲＭ対応のメディアにムーブしたコンテンツを再び機器内のハードディスクにムーブするという操作が許容されることも考えられる。たとえば、機器で録画したコンテンツを、ＣＰＲＭ対応のメディアに移動させたり、また、機器に戻したりと、自由に移動させるような操作が許容されることも考えられる。
【０００５】
さらに、このようなＤＶＤ規格で採用されているＣＰＲＭ技術は、メモリカードの分野にも適用されている。そして、このメモリカードの分野でも同じような操作が許容されることも考えられる。たとえば、携帯電話機を用いて著作権保護されたコンテンツをダウンロードし、そのコンテンツを一旦、携帯電話機の内蔵メモリに格納する。その後、内蔵メモリと着脱可能なメモリカードとの間で自由にムーブできるような操作が許容されることが考えられる。
【０００６】
ここで、メモリカードが複数回データ書込み可能なＭＴＰ（Multi Time Programmable）メモリである場合には、ＣＰＲＭ技術を応用することにより、機器内のメモリとメモリカードとの間で複数回のムーブを実現する方法がいくつか考えられる。これは、メモリカードに何度でもコンテンツを再書込みできるからである。
【０００７】
ところが、メモリカードが１回限りデータ書き込み可能なＯＴＰ（One Time Programmable）メモリである場合には、問題が発生する。メモリカードから機器内のメモリへコンテンツをムーブするということは、著作権の保護の観点からメモリカード内のコンテンツを消去することが不可欠となる。しかし、ＯＴＰメモリは追記することは可能であっても、一旦コンテンツを消去した領域には、再書き込みをすることはできないため、ムーブ操作を行うことにより、記憶領域が減少するという問題が発生するのである。
【０００８】
そこで、本発明は前記問題点に鑑み、１回限りデータ書き込み可能な記憶媒体と他の記憶媒体との間でコンテンツをムーブさせる技術を提供することを目的とする。
【課題を解決するための手段】
【０００９】
上記課題を解決するため、請求項１記載の発明は、請求項１記載の発明は、第１記憶媒体に格納されているコンテンツを第２記憶媒体に移動させる方法であって、前記第１記憶媒体は、１回限りデータ書込み可能なデータ領域と、複数回データ書込み可能であって、前記データ領域に格納されたデータがアクセスされるときに参照されるＦＡＴ領域と、複数回データ書き込可能であって、前記データ領域に格納されたデータがアクセスされるときに参照されないＦＡＴ待避領域と、を備え、前記データ領域に前記コンテンツが格納されるとともに、前記ＦＡＴ領域に前記コンテンツの格納領域情報が記録されており、前記ＦＡＴ領域に記録されている前記格納領域情報を、前記ＦＡＴ待避領域にコピーする工程と、前記ＦＡＴ領域に記録されている前記格納領域情報を消去する工程と、前記データ領域に格納されている前記コンテンツを前記第２記憶媒体にコピーする工程と、を備えることを特徴とする。
【００１０】
請求項２記載の発明は、請求項１に記載のコンテンツ移動方法により前記第２記憶媒体に移動された前記コンテンツを再び前記第１記憶媒体に移動させる方法であって、前記第２記憶媒体に格納されているファイルと同じファイルが前記データ領域内に存在するか否かを判別する判別工程と、前記データ領域内に同一ファイルが存在する場合、前記ＦＡＴ待避領域に記録されている前記格納領域情報を、前記ＦＡＴ領域にコピーする工程と、前記第２記憶媒体に格納されている前記コンテンツを削除する工程と、を備えることを特徴とする。
【００１１】
請求項３記載の発明は、請求項２に記載のコンテンツ移動方法において、前記判別工程は、前記第２記憶媒体に格納されている前記コンテンツと前記データ領域に格納されているファイルとの全ビット照合を行う工程、を含むことを特徴とする。
【００１２】
請求項４記載の発明は、請求項３に記載のコンテンツ移動方法において、前記判別工程は、前記第２記憶媒体に格納されている前記コンテンツのファイルサイズと同じファイルサイズのファイルが前記データ領域内に存在するか否かを判別する工程、を含み、前記判別工程は、同じファイルサイズのファイルが存在する場合に、前記全ビット照合を行うことを特徴とする。
【００１３】
請求項５記載の発明は、請求項１ないし請求項４のいずれかに記載のコンテンツ移動方法において、前記コンテンツは、著作権で保護されたコンテンツであることを特徴とする。
【００１４】
請求項６記載の発明は、請求項１ないし請求項５のいずれかに記載のコンテンツ移動方法において、前記データ領域に格納されている前記コンテンツは、前記第１記憶媒体が保持している媒体固有情報を用いて暗号化されていることを特徴とする。
【発明の効果】
【００１５】
請求項１記載の発明によれば、第１記憶媒体のデータ領域内のコンテンツを削除させることなく、コンテンツへのアクセスを禁止させることが可能である。そして、第２記憶媒体へコンテンツをコピーした後も、データ領域内にコンテンツを保持し、ＦＡＴ待避領域内に格納領域情報を保持し続けるので、コンテンツへアクセスするための情報を潜在的に維持可能である。
【００１６】
請求項２記載の発明によれば、第１記憶媒体において一旦アクセス不能となったコンテンツに再びアクセス可能とすることが可能である。したがって、１回限りデータ書き込み可能な第１記憶媒体と第２記憶媒体との間で、データのムーブが可能となる。
【００１７】
請求項３記載の発明によれば、ファイルの全ビット照合を行い、ファイルが同一と判別された場合にのみ、第１記憶媒体に格納されているコンテンツへのアクセスが可能とされるので、コンテンツが複数の媒体へコピーされることを防止することができる。
【００１８】
請求項４記載の発明によれば、同じファイルサイズのファイルが存在する場合に、全ビット照合を行うので、処理速度を向上させることが可能である。
【００１９】
請求項５記載の発明によれば、著作権保護されたコンテンツが複製されることを防止できる。
【００２０】
請求項６記載の発明によれば、データ領域に格納されているコンテンツは、第１記憶媒体が保持している媒体固有情報を用いて暗号化されているので、コンテンツの不正な複製を防止できる。
【発明を実施するための最良の形態】
【００２１】
以下、図面を参照しつつ本発明の実施の形態について説明する。図１に示すように、本発明の実施の形態を、携帯電話機１と携帯電話機１に着脱自在なメモリカード２とを用いて説明する。メモリカード２は、ＯＴＰ（One Time Programmable）メモリであり、コンテンツを１回限り書込み可能な記憶媒体である。このメモリカード２は、追記は可能であってもよい。ただし、一旦データを記録した領域には、別のデータを記録することはできない。このようなＯＴＰメモリは、一般に、データを複数回記録可能なＭＴＰ（Mutli Time Programmable）メモリと比較して、低コストで製造可能であるため、昨今コンテンツ等の格納用メディアとして利用されている。
【００２２】
ユーザは、携帯電話機１を操作して、たとえば、インターネットから音声ファイルや動画ファイルなどのコンテンツをダウンロードする。このコンテンツは、著作権保護されたコンテンツであり、複数の媒体へのコピーが禁止されている。
【００２３】
図２は、携帯電話機１およびメモリカード２の機能ブロックを示すとともに、ダウンロードされたコンテンツを携帯電話機１からメモリカード２へムーブする処理の流れを示す図である。
【００２４】
携帯電話機１は、メディア鍵生成部１１、暗号処理部１２、照合部１３、内蔵メモリ１４を備えている。メディア鍵生成部１１、暗号処理部１２、照合部１３は、図示せぬプログラムがＣＰＵ、ＲＡＭ等のハードウェアを利用して実行されることにより実現される機能部である。また、携帯電話機１は、ＲＯＭ等のメモリにデバイスキー５３を保持している。
【００２５】
メモリカード２は、記憶領域２０を備えている。記憶領域２０は、リードイン領域２１、ＦＡＴ領域２２、ＦＡＴ待避領域２３、データ領域２４の４つの領域を備えている。
【００２６】
リードイン領域２１は、リードオンリーの領域であり、ＭＫＢ（Media Key Block）５１とメディアＩＤ５２とが格納されている。ＭＫＢ５１およびメディアＩＤ５２は、ライセンス会社によって管理されている情報であり、メディア製造会社により自由に使用できるものではない。ＭＫＢ５１は、複数のメディアで共通に使用されている情報であり、このＭＫＢ５１と後述するデバイスキー５３とからメディア鍵が生成される。メディアＩＤ５２は、メディア１枚ごとに異なる固有のＩＤである。
【００２７】
ＦＡＴ領域２２およびＦＡＴ待避領域２３は、複数回データ書込み可能な領域である。ＦＡＴ領域２２には、データ領域２４に格納されたデータの格納領域情報が記録される。したがって、コントローラあるいはオペレーションシステムは、このＦＡＴ領域２２を参照することで、データへアクセスすることが可能である。ＦＡＴ待避領域２３については、後述するが、ＦＡＴ領域２２に記録された情報を待避させる領域として使用される。この領域は、一般のＦＡＴシステムには存在しない領域であり、たとえこの領域にデータの格納領域情報が記録されていても、コントローラあるいはオペレーションシステムは、その格納領域情報を参照して、データにアクセスすることはできない。つまり、ＦＡＴ領域２２は、コントローラあるいはオペレーションシステムがファイルアクセスを行う際に参照される領域であるのに対して、ＦＡＴ待避領域２３は参照されない領域である。データ領域２４には、音声ファイル、動画ファイルなどのコンテンツのほか、各種のデータが記録される領域であり、１回限りデータ書込み可能な領域である。前述したように、データ領域２４は、空き領域に対する追記処理は可能であってもよい。
【００２８】
このような構成の携帯電話機１とメモリカード２を用いて、携帯電話機１の内蔵メモリ１４に格納されたコンテンツ５５をメモリカード２にムーブする処理を説明する。まず、ユーザが携帯電話機１を操作し、インターネットからコンテンツ５５をダウンロードし、内蔵メモリ１４に格納する。
【００２９】
次に、メディア鍵生成部１１が、メモリカード２に格納されているＭＫＢ５１と携帯電話機１に格納されているデバイスキー５３とを用いてメディア鍵５４を生成する。さらに、暗号処理部１２が、メディア鍵５４とメモリカード２に格納されているメディアＩＤ５２を用いてコンテンツ５５の暗号処理を実行する。
【００３０】
そして、暗号化されたコンテンツ５５ｄがメモリカード２のデータ領域２４に格納される。また、携帯電話機１の制御により、コンテンツ５５ｄの格納領域情報５６がＦＡＴ領域２２に記録される。さらに、携帯電話機１の内蔵メモリ１４に格納されていたコンテンツ５５が削除される。このようにして、著作権保護されたコンテンツ５５のメモリカード２へのムーブが完了する。メモリカード２へアクセスするコントローラは、ＦＡＴ領域２２内に記録されている格納領域情報５６を参照することにより、コンテンツ５５ｄにアクセス可能となる。ただし、コンテンツ５５ｄは、メモリカード２に固有の情報であるメディアＩＤ５２を用いて暗号化されているので、このコンテンツ５５ｄは、他のメディアにコピーされても、再生することはできない。また、ライセンス会社によって管理されたデバイスキーを保持していない機器を用いて、このメモリカード２内に格納されたコンテンツ５５ｄを再生することはできない。
【００３１】
次に、メモリカード２へムーブされたコンテンツ５５ｄを再び携帯電話機１の内蔵メモリ１４にムーブする方法について図３および図４を参照して説明する。
【００３２】
まず、図３に示すように、メディア鍵生成部１１が、メモリカード２に格納されているＭＫＢ５１と携帯電話機１に格納されているデバイスキー５３を用いてメディア鍵５４を生成する。さらに、暗号処理部１２が、メディア鍵５４とメモリカード２に格納されているメディアＩＤ５２を用いてコンテンツ５５ｄの復号処理を実行する。
【００３３】
次に、図４に示すように、暗号処理部１２により復号されたコンテンツ５５が内蔵メモリ１４に格納される。なお、携帯電話機１において、コンテンツ５５ｄを再び暗号化し、暗号化したコンテンツ５５を内蔵メモリ１４に格納するようにしてもよい。
【００３４】
そして、携帯電話機１の制御により、ＦＡＴ領域２２に記録されている格納領域情報５６が、格納領域情報５７としてＦＡＴ待避領域２３にコピーされた後、ＦＡＴ領域２２に記録されている格納領域情報５６が削除される。ただし、データ領域２４内のコンテンツ５５ｄは、そのまま維持される。これにより、データ領域２４内にはコンテンツ５５ｄの実体が残っているものの、ＦＡＴ領域２２から格納領域情報５６が削除されるため、他の機器、コントローラはもちろんのこと、携帯電話機１のＣＰＵもコンテンツ５５ｄにアクセスすることはできなくなる。このようにして、再び、コンテンツ５５が携帯電話機１の内蔵メモリ１４に格納されるとともに、メモリカード２内のコンテンツ５５ｄにはアクセス不能となり、実質的に、コンテンツの再ムーブが行われたことになるのである。
【００３５】
このように、本実施の形態によれば、データを１回消去すると、その記憶領域を無駄にしてしまうというＯＴＰメモリの問題点に対応するために、コンテンツの実体を残したまま、ＦＡＴ情報を操作することで、コンテンツのムーブと等価な処理を実行可能としているのである。そして、ＦＡＴ領域２２に記録された格納領域情報５６を削除するだけではなく、別の待避領域にバックアップするので、コンテンツへのアクセスを不可能としながら、再び、コンテンツへアクセス可能とするための情報を保持できるようにしているのである。
【００３６】
次に、メモリカード２から携帯電話機１へムーブされたコンテンツ５５を、再び携帯電話機１からメモリカード２にムーブする方法について図５、図６、図７を参照して説明する。
【００３７】
まず、図５に示すように、メディア鍵生成部１１が、メモリカード２に格納されているＭＫＢ５１と携帯電話機１に格納されているデバイスキー５３とを用いてメディア鍵５４を生成する。さらに、暗号処理部１２が、メディア鍵５４とメモリカード２に格納されているメディアＩＤ５２を用いてコンテンツ５５の暗号処理を実行する。なお、上述したように、内蔵メモリ１４に格納されているコンテンツ５５に暗号化処理を施している場合には、まず復号処理が行われた後、これら暗号処理が実行される。
【００３８】
次に、図６に示すように、照合部１３が、暗号処理部１２において暗号処理されたコンテンツ５５と、メモリカード２に格納されているコンテンツ５５ｄとの照合処理を実行する。具体的には、まず、照合部１３は、暗号処理部１２において暗号処理されたコンテンツ５５と同じファイルサイズのファイルがデータ領域２４内に存在するか否かを判別する。そして、同じファイルサイズのファイルが存在する場合には、暗号処理部１２において暗号処理されたコンテンツ５５と、その同じファイルサイズのファイルとの全ビット照合処理が実行される。ここでは、メモリカード２には、同じファイルサイズのコンテンツ５５ｄが格納されているので、暗号処理されたファイルと、コンテンツ５５ｄとの全ビット照合が行われる。
【００３９】
なお、この実施の形態においては、同一ファイルサイズのファイルがメモリカード２内に存在するか否かを先に判別し、その後、全ビット照合を行うこととしているが、ファイルサイズの照合は必須処理ではない。ファイルサイズの照合を行うことなく、メモリカード２内にある各ファイルと全ビット照合を行うようにしてもよい。この場合、個々のファイルに対して全ビット照合を完全に実行する必要はなく、ファイルの先頭部分でビットパターンが異なれば、即座にビット照合処理を終えて、次のファイルとの間で照合処理を実行すればよい。ただし、ファイルサイズが一致するか否かを判別してからビット照合を行う方が、余分なビット照合処理を行わなくてよくなるため、処理速度を上げることができる。
【００４０】
また、この実施の形態においては、内蔵メモリ１４内のコンテンツ５５を暗号化し、データ領域２４内の暗号化されているコンテンツ５５ｄとの間でビット照合するようにしたが、逆に、データ領域２４内のコンテンツ５５ｄを復号化し、復号されたデータ間でビット照合を行うようにしてもよい。１つの方法としては、データ領域２４内の各ファイルをそれぞれ暗号処理部１２において復号化し、復号化されたデータのデータサイズと内蔵メモリ１４内のコンテンツ５５とのファイルサイズを比較し、ファイルサイズが一致すれば、ビット照合を行えばよい。あるいは、復号された全てのファイルについてビット照合するようにしてもよい。このように、暗号化されたコンテンツ同士あるいは復号化されたコンテンツ同士でビット照合を行い、コンテンツが同一であるか否かを判別する。
【００４１】
そして、全ビット照合の結果、同一ファイルであることが判別されると、次に、図７に示すように、携帯電話機１の制御により、ＦＡＴ待避領域２３に記録されている格納領域情報５７が、格納領域情報５６としてＦＡＴ領域２２にコピーされる。また、ＦＡＴ待避領域２３に記録されている格納領域情報５７が削除される。さらに、携帯電話機１において、内蔵メモリ１４内のコンテンツ５５が削除される。これにより、データ領域２４内にはコンテンツ５５ｄの実体が残っているので、携帯電話機１のＣＰＵは、メモリカード２に格納されているコンテンツ５５ｄにアクセスすることが可能となる。あるいは、ライセンス会社により供給されたデバイスキーを備えている機器であれば、他の機器、コントローラであっても、メモリカード２に格納されているコンテンツ５５ｄにアクセスすることが可能となる。このようにして、再び、メモリカード２内のコンテンツ５５ｄがアクセス可能となるとともに、内蔵メモリ１４内のコンテンツ５５は削除されるので、実質的に、コンテンツの再ムーブが行われたことになるのである。
【００４２】
このように、本実施の形態によれば、データを１回消去すると、その記憶領域を無駄にしてしまうというＯＴＰメモリの問題点に対応するために、コンテンツの実体を残したまま、ＦＡＴ情報を操作することで、コンテンツのムーブと等価な処理を複数回実行可能としているのである。
【００４３】
なお、上記の実施の形態については、ファイルエントリ情報が記録されるルートディレクトリ領域については、特に触れなかったが、ルートディレクトリ領域がＦＡＴ領域２１と同様、複数回データ書き込み可能なエリアで構成されるならば、ファイルエントリ情報についても、格納領域情報５６とともに、ＦＡＴ待避領域２３に移動させるようにすればよい。あるいは、ファイルエントリ情報については移動させず、ＦＡＴ領域２２内の情報のみ移動させる方法でもよい。もし、ルートディレクトリ領域についても、１回のみデータ書き込み可能な領域として構成されるのであれば、コンテンツ５５ｄと同様、移動や削除処理は行わず、固定的に記録させておけばよい。
【図面の簡単な説明】
【００４４】
【図１】携帯電話機とメモリカードの利用イメージ図である。
【図２】最初に携帯電話機からメモリカードへコンテンツを移動する処理を示す図である。
【図３】メモリカードから携帯電話機へコンテンツを移動する処理を示す図である。
【図４】メモリカードから携帯電話機へコンテンツを移動する処理を示す図である。
【図５】再度携帯電話機からメモリカードへコンテンツを移動する処理を示す図である。
【図６】再度携帯電話機からメモリカードへコンテンツを移動する処理を示す図である。
【図７】再度携帯電話機からメモリカードへコンテンツを移動する処理を示す図である。
【符号の説明】
【００４５】
１  携帯電話機
２  メモリカード
１４  内蔵メモリ
２０  （メモリカード）記憶領域
２１  リードイン領域
２２  ＦＡＴ領域
２３  ＦＡＴ待避領域
２４  データ領域
５５  コンテンツ
５５ｄ  （暗号化された）コンテンツ
【図１】
2007025764.tif 000003
【図２】
2007025764.tif 000004
【図３】
2007025764.tif 000005
【図４】
2007025764.tif 000006
【図５】
2007025764.tif 000007
【図６】
2007025764.tif 000008
【図７】
2007025764.tif 000009